Podtech/llm-jp-corpus-v4-ja_patent huggingface dataset:
(57)【要約】【課題】  手軽に安価に、変形絞りのきいた写真を撮る事が出来るカメラレンズキャップを提供する。【解決手段】  カメラレンズキャップ（１）の中央に変形絞りの型（２）を抜き、更に変形絞りの型を覆うカバー（３）を取り付けた、変形絞り機能付きカメラレンズキャップを特徴とする。使用する時はカメラレンズ（４）にこの変形絞り機能付きカメラレンズキャップを取り付けたまま、変形絞りの型を覆うカバー（３）だけをスライドさせて開け、それから普通にピントを合わせて写真を撮れば、点光源が変形絞りの型（２）の形に暈けた写真が出来上がる。このようにカメラレンズキャップと変形絞り機能を一体にする事によって、フィルターや絞り等追加の機材を取り付ける必要もなくなる為手間もかからず、また費用的にも追加の機材分がかかる事もなくなる為安価に変形絞りのきいた写真を楽しむ事が出来るようになる。【選択図】図６
2019020699.tif 000002
【特許請求の範囲】
【請求項１】
カメラレンズキャップ（１）の中央に変形絞りの型（２）を抜き、更に変形絞りの型を覆うカバー（３）を取り付けた、変形絞り機能付きカメラレンズキャップ。
【発明の詳細な説明】
【技術分野】
【０００１】  この発明は、変形絞りの機能を付けたカメラのレンズキャップに関するものである。
【背景技術】
【０００２】  従来、カメラの変形絞りをするには、カメラレンズの他に更にフィルターや絞り等の追加の機材をレンズに取り付ける必要があった。
【先行技術文献】
【特許文献】
【０００３】
【特許文献１】
【発明の概要】
【発明が解決しようとする課題】
【０００４】  このような従来の方法には、次のような欠点があった。
カメラレンズに専用のフィルターや絞り等を取り付けなければならず、撮影準備の際にもまたそれを保管する際にも手間がかかる事。
専用のフィルターや絞りを購入する時に生じる金銭的負担。
本発明は、以上の様な欠点を無くすためになされたものである。
【課題を解決するための手段】
【０００５】  カメラレンズキャップ（１）に変形絞りの型（２）をくり抜き、撮影をしない時は普通にカメラのレンズキャップとして使用出来るように、変形絞りの型を覆うカバー（３）を取り付ける。
ここでは変形絞りの型（２）の形はハート型にしてあるが、これは一つの例であり、他に星型やお花型等どんな形でも変形絞りの形は良い。
本発明は、以上の構成よりなる変形絞り付きカメラレンズキャップである。
【発明の効果】
【０００６】  カメラのレンズキャップと変形絞り機能が一体となっているので、変形絞りの型を覆うカバーを開けるだけで、手軽に変形絞りがきいた写真、即ち背景の点光源が変形絞りの型の形に暈けた写真が撮れる。
機材もレンズキャップという必要最小限度の物しか使っていないため、フィルターや絞り等追加の機材を購入したり取り付けたりする必要もない為、手軽に安価に変形絞りのきいた写真の撮影を楽しむ事が出来る。
写真撮影をしていない時は、レンズキャップとして使用する事が出来る。
【図面の簡単な説明】
【０００７】
【図１】本発明の正面図である。
【図２】本発明の正面図である。
【図３】本発明の背面図である。
【図４】本発明の背面図である。
【図５】本発明の使用状態を示した斜視図である。
【図６】本発明の使用状態を示した斜視図である。
【発明を実施するための形態】
【０００８】  以下本発明を実施するための形態について説明する。
カメラレンズキャップ（１）の中央に変形絞りの型（２）を抜く。
更に変形絞りの型を覆うカバー（３）を取り付ける。この変形絞りの型を覆うカバー（３）はスライド式である。
本発明は、以上の様な構造である。
これを使用する時は、カメラレンズ（４）にレンズキャップ（１）を被せたまま、変形絞りの型を覆うカバー（３）だけをスライドさせて開け、その後は普通にピントを合わせて写真撮影をすれば良い。
そうする事によって、点光源が変形絞りの型に暈けた写真が出来上がる。
【符号の説明】
【０００９】  １  カメラレンズキャップ
２  変形絞りの型
３  変形絞りの型を覆うカバー
４  カメラレンズ
【図１】
2019020699.tif 000003
【図２】
2019020699.tif 000004
【図３】
2019020699.tif 000005
【図４】
2019020699.tif 000006
【図５】
2019020699.tif 000007
【図６】
2019020699.tif 000008
【手続補正書】
【提出日】平成30年9月20日(2018.9.20)
【手続補正１】
【補正対象書類名】特許請求の範囲
【補正対象項目名】請求項１
【補正方法】変更
【補正の内容】
【請求項１】
カメラレンズキャップの中央に星形、お花型、ハート型の型を抜き、更に変形絞りの型に隣接して設けられ、引き出される事で変形絞りの型を覆うスライド式のカバーを取り付けた、変形絞り機能付きカメラレンズキャップ。
(57)【要約】【課題】冷蔵庫内の飲料を飲む際、冷蔵庫内に入れたペットボトル飲料を扉を開け取出さず簡単に注げようにペットボトルサーバーと冷蔵庫を一体化したペットボトル一体型冷蔵庫提供する。【解決手段】冷蔵扉外側に注水口（１）を設け、冷蔵扉内側の受け口（２）にペットボトルを逆さまに差し込む。注水口（１）から飲料が出るペットボトルサーバー一体型冷蔵庫を特徴とする。【選択図】図３
2019020104.tif 000002
【特許請求の範囲】
【請求項１】
冷蔵扉外側の注水口（１）を設け、冷蔵扉内側の受け口（２）にペットボトルを逆さまに差し込む。注水口（１）から飲料が出る。
冷蔵庫にペットボトルサーバーを設けたペットボトルサーバー一体型冷蔵庫。
【発明の詳細な説明】
【技術分野】
【０００１】本発明は、冷蔵庫の一部にペットボトルサーバーを設けたペットボトルサーバー一体型冷蔵庫に関するものである。
【背景技術】
【０００２】従来、冷蔵庫とペットボトルサーバーは別々になっていた。
【先行技術文献】
【特許文献】
【０００３】
【特許文献１】
【発明の概要】
【発明が解決しようとする課題】
【０００４】近年、飲料水を購入し飲む家庭が増え、ミネラルウォーターを購入、ペットボトルサーバーの購入または、ウォーターサーバーのレンタルをすることが多い。
しかし、ミネラルウォーターを購入した場合、冷蔵庫内に入れたペットボトルを取出すのに扉の開閉をし、庫内の温度が上がる。２Ｌのボトルだと重たくお年寄や子供が注ぎにくい。
ペットボトルサーバーの購入やウォーターサーバーをレンタルした場合、設置場所が必要、電気代やレンタル費かかる。
本発明は、以上のような欠点をなくすためになされたものである。
【課題を解決するための手段】
【０００５】冷蔵扉外側に注ぎ口（１）を設け、冷蔵扉内側の受け口（２）にペットボトルをセットする。
本発明は以上の構成によりなるペットボトルサーバー一体型冷蔵庫である。
【発明の効果】
【０００６】ウォーターサーバーと冷蔵庫が一体型になっているので、冷蔵庫内で冷やされるため別途電気代がかかる事なく、飲む時に開閉する必要がないので省エネ的。
なお、市販のペットボトルを使用できるので、水だけでなく、お茶やジュースに差し替える事もできるため、子供が簡単に飲むことができ、冷蔵庫の閉め忘れも改善される。
【図面の簡単な説明】
【０００７】
【図１】冷蔵庫正面の注水口
【図２】冷蔵庫内面のペットボトル受け口
【図３】冷蔵庫断面図
【発明を実施するための形態】
【０００８】以下、本発明を実施するための形態について説明する。
冷蔵扉外側に注水口（１）を設け、冷蔵扉内側の受け口（２）にペットボトルを逆さまに差し込む。注水口（１）から飲料が出る。
【符号の説明】
【０００９】１  注水口
２  受け口
【図１】
2019020104.tif 000003
【図２】
2019020104.tif 000004
【図３】
2019020104.tif 000005
(57)【要約】【課題】  体温は１日を周期として１℃程度ほど変化し、就寝時の体温は早朝時には１℃程度ほど下がる。しかし、従来の空気調和機では室温のみで室温調整がなされていて、体温の変化には対応しない。このため、冷房して就寝すると、就寝時に快適に設定された室温は早朝時には低くなりすぎて睡眠を妨げ、設定温度を上げたり、空気調和機を切るなどの対策が必要であった。また、室温を上げる以外は暖房においても同様である。【解決手段】  空気調和機において、室温のみによる室温調整ではなく、体温の変化を感知して室温を微調整することにより、体温の変化に対応した室温を供給し、快適な睡眠を得る。【選択図】図２
2019020105.tif 000002
【特許請求の範囲】
【請求項１】
体温を感知して設定温度が補正される空気調和機
【発明の詳細な説明】
【技術分野】
【０００１】  この発明は空気調和機に関する。
【背景技術】
【０００２】  従来の空気調和機においては、室温は温度センサーで設定された温度に保たれる（図１）。このため、例えば空気調和機が寝室に設置されている場合、室温は温度センサーで設定された温度に保たれるため、就寝中に体温が変化しても室温は変化しない。【０００３】  睡眠に入ると手足などから熱が放出されて体温は下がる。そして、熱が放出され、睡眠に適切な体温になると熱の放出は止まり、体温は睡眠に適切な温度に保たれる。このように、体温は、１日を周期として、１℃程度ほど変化している。昼間は高く、早朝は低い（非特許文献１、同２）。【０００４】  従来の空気調和機では室温が一定になるように制御されるため、冷房して就寝した場合、就寝時に快適に設定された室温は、体温が低下した早朝時には低すぎる室温になり、睡眠を妨げる。即ち、就寝時の体温や放熱に適した冷熱供給は、体温が低下した早朝時には過剰な冷熱供給になる。このため、家庭用空気調和機では、一定時間後に空気調和機を切るタイマー機能を有している。
なお、冷房して就寝したところ寒すぎて目を覚まし、設定設定を上げたり、空気調和機を切ったりすることは誰しもが経験するところである。【０００５】  暖房においても、早朝時に低体温を維持しなければならないときに温熱を過剰供給すると、低体温が維持できなくなる恐れが生じる。よって、家庭用空気調和機では、一定時間後に空気調和機を切るタイマー機能を有している。
【先行技術文献】
【非特許文献】
【０００６】
【非特許文献１】体温は変動している？  テルモ体温研究所ホームページ（ｈｔｔｐ：／／ｗｗｗ．ｔｅｒｕｍｏ−ｔａｉｏｎ．ｊｐ／ｈｅａｌｔｈ／ｔｅｍｐｅｒａｔｕｒｅ／０４．ｈｔｍｌ）
【０００７】
【非特許文献２】睡眠と体温  テルモ体温研究所ホームページ（ｈｔｔｐ：／／ｗｗｗ．ｔｅｒｕｍｏ−ｔａｉｏｎ．ｊｐ／ｈｅａｌｔｈ／ｓｌｅｅｐ／０１．ｈｔｍｌ）
【発明の概要】
【発明が解決しようとする課題】
【０００８】  従来の空気調和機では、室温のみで室温調整がなされていて、体温の変化には対応していない（図１）。このため、冷房して就寝したところ、就寝時に快適に設定された室温は早朝時には低く感じられて睡眠を妨げ、設定温度を上げたり、空気調和機を切るなどの対策が必要であった。また、暖房においても高く感じられる室温は睡眠を妨げ、設定温度を下げたり、空気調和機を切るなどの対策が必要であった（非特許文献１、同２）。【０００９】  この発明は、室温による室温調整に加えて、体温変化を感知して室温を微調整することにより、体温変化に対応する室温を供給して睡眠に適切な室温を常に維持し、体温変化に対応する室温を供給できない従来空気調和機の欠点を改善することを目的とする。
【課題を解決するための手段】
【００１０】  室温センサーにより室温を定め、その室温を体温を感知するセンサーで微調整することにより、体温の変化に室温を対応させる（図２）。【００１１】  体温を感知するセンサーにはサーモグラフィなどがある。
【発明の効果】
【００１２】  上述したように、本発明の空気調和機は体温の変化に応じて室温を微調整できる。このため、冷房して就寝しても早朝時の低体温に対応でき、就寝中に設定温度を上げたり、空気調和機を切るなどの対策は必要なくなる。よって、快適な睡眠が可能となる（非特許文献２）。また、体温低下に伴い室温を上げる室温制御は省エネにもなる。【００１３】  例えば、冷房して就寝した場合において、早朝時の体温は就寝時に比べて１℃程度低くなるので、就寝時の室温に対して早朝時の室温を少し（例えば１℃程度）上げたりすると、早朝時の低体温に対応することができ、省エネにもなる。【００１４】  暖房して就寝しても早朝時の低体温に冷房時と同様に対応でき、設定温度を下げたり、空気調和機を切るなどの対策は必要なくなる。よって、快適な睡眠が可能となる（非特許文献２）。また、体温低下に伴い室温を下げる室温制御は省エネにもなる。【００１５】  例えば、暖房して就寝した場合においても、早朝時の体温は就寝時に比べて１℃程度低くなるので、就寝時の室温に対して早朝時の室温を少し（例えば１℃程度）下げたりすると、早朝時の低体温に対応することができ、省エネにもなる。【００１６】  冷房においても、暖房においても、体温変化に伴う室温微調整は、医学的見地から慎重に定める必要がある。【００１７】  室内機が多数設置された事務所の場合、外回りから帰った営業マンの机の周りのみ営業マンの体温を感知して室内機の吹き出し温度を制御すれば、室内の冷えすぎを防止できて省エネ効果がある。さらに、冷えすぎによる健康への悪影響も低下する。
【図面の簡単な説明】
【００１８】
【図１】従来空気調和機の室温調整系統図
【図２】本発明による空気調和機の室温調整系統図
【発明を実施するための形態】
【００１９】  図２においては、室温センサーにより室温を定め、その室温を体温感知センサーで微調整することにより、体温の変化に室温を対応させ、睡眠に適した室温を常に維持する。
【符号の説明】
【００２０】１  空気調和機
２  室温センサー
３  体温感知センサー
【図１】
2019020105.tif 000003
【図２】
2019020105.tif 000004
【手続補正書】
【提出日】平成29年7月19日(2017.7.19)
【手続補正１】
【補正対象書類名】明細書
【補正対象項目名】００１０
【補正方法】変更
【補正の内容】
【００１０】図２においては、室温センサー２により空気調和機１を制御して室温を定め、その室温を体温を感知するセンサー３で微調整することにより、体温の変化に室温を対応させる。
【手続補正書】
【提出日】平成29年7月23日(2017.7.23)
【手続補正１】
【補正対象書類名】明細書
【補正対象項目名】００１１
【補正方法】変更
【補正の内容】
【００１１】  体温を感知するセンサーにはサーモグラフィなどがある。なお、体温変化に合わして室温を微調整できればどのような方法でもよく、体温変化に合わして室温を微調整することにこの発明の本質がある。
(57)【要約】      （修正有）【課題】電車を待つ乗客に到着電車の車両ごとの混雑状況を告知する電車の車内混雑状況お知らせシステムを提供する【解決手段】電車の各車両内にカメラやセンサーなどを設置して、電車の各車両内の混雑状況の情報を取得する。取得した混雑状況の情報を到着駅のホームに設けたお知らせ掲示板２に表示して電車を待つ乗客に告知する。【選択図】図２
2019142471.tif 000002
【特許請求の範囲】
【請求項１】
電車の各車両内に設けたセンサー又はカメラ（１）に依って社内の混雑状況の情報を取得し、その情報を駅のホーム内に設けた各車両混雑状況お知らせ掲示板（２）によって告知する電車の各車両混雑状況お知らせシステムである。
【選択図】図１  図２
【発明の詳細な説明】
【技術分野】
【０００１】この発明は電車の利用や駅ホームの掲示などに関するものである
【背景技術】
【０００２】  電車は人が移動するときの交通手段として有効なものである。
【先行技術文献】
【０００３】
【発明の概要】
【発明が解決しようする課題】
【０００４】従来、電車は複数の車両で構成されており、乗客で混雑している車両と乗客の少ない車両に偏る場合が多く、混雑状況が均等になることが難しかった。
それは、駅のホームで電車の待つ人が、どの位置の車両が混んでいるか、空いているのかをあらかじめ知る手段が無かったからである。
本発明は以上のような欠点をなくすためになされたものである。
【課題を解決するための手段】
【０００５】電車の各車両に混雑測定センサーを設ける。またはカメラでとらえた車内映像を見て人が各車両の混み具合を判断し、それを、電車の継ぎの到着駅のホームに設けた車両の混み具合お知ら用掲示版にて、色分けや、数値に依って車両ごとの混雑状況を、ホームで末乗客にお知らせするシステムである。
【発明の効果】
【０００６】本発明は以上のような構成であることから、電車の各車両に設けた（１）センサーまたはカメラで、車両内の混雑状況の情報を取得し，駅のホームに設けた（２）混雑状況お知らせ掲示版にて、電車を待つ乗客に車両ごとの混雑状況を知らせることが出来る。その情報を得た乗客は電車到着までの時間にホームを移動することで、混雑を避けて乗車することが可能になる。
【図面の簡単な説明】
【０００７】
【図１】車両内に設けたセンサー又はカメラである。
【図２】ホームに設けた混雑状況お知らせ掲示板である。
【発明を実施するための形態】
以下、本発明に実施するための形態について説明する。
電車の各車両内に設けたセンサー又はカメラにて、駅の管理室やその他の情報収集施設にて、電車の各車両の混雑具合の情報を得る。
それを元に、自動または手動で到着駅の掲示版に各車両の混雑状況を告知する
【符号の説明】
【０００９】１  電車の各車両内に設けたセンサー又はカメラである
２  駅のホーム内に設けた車両混雑状況告知掲示板である。
【図１】
2019142471.tif 000003
【図２】
2019142471.tif 000004
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
電車の各車両内に設けたセンサー又はカメラ（１）に依って取得した各車両内の混雑状況を、駅のホーム内に設けた各車両混雑状況お知らせ掲示板（２）によって告知する
電車の車内混雑状況お知らせシステムである。
(57)【要約】【課題】空気が薄いか、小さくて飛行速度が遅い飛行機は空気の粘性力が支配的となって飛行性能が落ちるが、空力的に大きくて飛行速度が速い飛行機と同等にすることである。【解決手段】翼断面を持つリング状の飛行機を高速回転させてゆっくり飛行させることで空力的に大きくて飛行速度が速い飛行機と同等にする。このことで空気の粘性力が支配的とならずに大型機並みの飛行性能で飛ばせる。【選択図】図４
2019142467.tif 000002
【特許請求の範囲】
【請求項１】
無回転として計算したレイノルズ数が５×１０の４乗以下の飛行機において、翼断面を持つリング状の飛行機をリングの対称軸とほぼ同じ回転軸で回転させて飛ばすことを特徴とする飛行機。
【請求項２】
無回転として計算したレイノルズ数が５×１０の４乗以下の飛行機において、翼断面を持つリング状の翼をリングの対称軸とほぼ同じ回転軸で回転させて飛ばすことを特徴とする飛行機。
【発明の詳細な説明】
【技術分野】
【０００１】本発明は、空気が薄いか、小さくて飛行速度が遅い飛行機の飛行性能向上に関するものである。
【背景技術】
【０００２】従来のリング状の飛行遊具は重くて高速で飛ばすものであったため子供が飛ばすのに危険であった。【０００３】また、板状のものを回転させながら投げれば何でも飛ぶわけで、子供に感動を与えることができないという欠点があった。【０００４】火星のように空気が薄いか、小さくて飛行速度が遅い飛行機一般においても、レイノルズ数が低いと粘性力が支配的となって飛行性能が落ちるという問題があった。【０００５】この改善策として、柔らかい材質にする、先端や後端に丸みを持たせるなどしたが飛行性能が犠牲となった。また翼断面に凸凹を付けて空気の流れを乱流にして飛行を安定させるものもあったが根本原因であるレイノルズ数に着目したものは無かった。
フリスビーの良く飛ぶ投げ方として手首のスナップを利かせて投げるとよく飛ぶという経験則はあった。低レイノルズ数域では薄翼や羽ばたき飛行機が有効とされている。
【先行技術文献】
【特許文献】
【０００６】
【特許文献１】低レイノルズ数用翼型
【登録番号】
実用新案登録第３１４８２３３号
【発明の概要】
【発明が解決しようとする課題】
【０００７】解決しようとする問題点は、空気が薄いか、小さくて飛行速度が遅い飛行機が空気の粘性力が支配的となって飛行性能が落ちる点である。【０００８】航空力学のレイノルズ数を使って説明すると、空気密度と飛行速度と翼弦長を積算した数値が低いと空気の粘性力が支配的となって飛行性能が落ちる点である。
【課題を解決するための手段】
【０００９】本発明は、翼断面を持つリング状の飛行機を高速回転させてゆっくり飛行させることを最も主要な特徴とする。
【発明の効果】
【００１０】本発明の効果は外見上小さくて飛行速度が遅い飛行機を大型機なみの飛行性能で飛ばせるという利点である。【００１１】飛行遊具とした場合は子供が飛ばしても安全で、目の前をゆっくりと、まるで重力が無いかのように飛ぶので感動を与えることができる。【００１２】火星探査機や偵察用ドローンとした場合は、長時間の探査や偵察ができる。
【図面の簡単な説明】
【００１３】
【図１】本発明の断面図である。
【図２】本発明の平面図である。
【図３】本発明が無回転時の飛行速度と翼弦長の説明図である。
【図４】本発明が回転時の流れに対する相対速度と流体の流れた距離の説明図である。
【図５】本発明を４分割して考えるための説明図である。
【発明を実施するための形態】
【００１４】図１のような翼断面を持つ図２のようなリングである。
【実施例１】
【００１５】本発明を実施するときは、本発明を手に持ち手首のスナップを利かせて高速回転させながら手首を引いて水平にゆっくり投げる。このときの回転軸はリングの対称軸とほぼ同じである。【００１６】航空力学のレイノルズ数計算式の飛行速度と翼弦長について、より詳しく流体力学で記述すると、下記の数式１に示す通り「飛行速度」ではなく「流れに対する相対速度」であり、「翼弦長」ではなく「流体の流れた距離」である。【００１７】
【数１】
2019142467.tif 000003
【００１８】リング状の飛行機を回転させて飛行させると図３「飛行速度」より図４「流れに対する相対速度」は図５の前部、後部、向かい風部で早くなる。【００１９】リング状の飛行機を回転させて飛行させると図３「翼弦長」より図４「流体の流れた距離」は図５の前部、後部、向かい風部で長くなる。【００２０】図５の追い風部は「流れに対する相対速度」と「流体の流れた距離」が低速回転時にはともに低下し空気は粘りつくが、そもそも空気と同じ向きの動きなので抵抗が増えるかどうかは条件による。【００２１】また、回転速度は強度が許す限り上げることができ、「飛行速度」の二倍以上の回転速度にすれば、追い風部も含めて「流れに対する相対速度」と「流体の流れた距離」を増やすことができる。【００２２】増加した「流れに対する相対速度」と増加した「流体の流れた距離」の積はより以上に増加し、レイノルズ数が高くなる。【００２３】こうして、外見上小さくて飛行速度が遅い飛行機が空気の粘性力が支配的とならず飛行性能が落ちることがなくなる。【００２４】また、追い風部が常に空気との相対速度が小さく、空気がより粘りつくため、飛行速度と回転速度が同じになるように力が働く。このため高度や初速のエネルギーを回転エネルギーに変換して保存し、飛行速度が落ちてきたときに再加速することができる。
【産業上の利用可能性】
【００２５】火星探査機や偵察用ドローン用途にも適用できる。
【図１】
2019142467.tif 000004
【図２】
2019142467.tif 000005
【図３】
2019142467.tif 000006
【図４】
2019142467.tif 000007
【図５】
2019142467.tif 000008
(57)【要約】【課題】  包装袋の中身を絞るとき、絞りやすいように、折り筋を設ける。【解決手段】  折り筋を設ける包装袋を特徴とする。【選択図】図１
2019142583.tif 000002
【特許請求の範囲】
【請求項１】
折り筋を設けた包装袋。
【発明の詳細な説明】
【技術分野】
【０００１】  この発明は、包装袋に折り筋を設け、折り筋にそって折り畳むことで、絞り切りやすい包装袋に関するものである。
【背景技術】
【０００２】  従来、シャンプーや洗剤の詰め替えパック等の包装袋を絞る時、注ぎ口をボトルの口に差し込んだ状態で包装袋を底部から折り畳みながら絞ることになっていた。
【発明の概要】
【発明が解決しようとする課題】
【０００３】  中身を全部絞り出すために、包装袋をピッタリ折り畳んで隙間を残さない必要があるが、袋は固く、ピッタリ折りたたむには力を入れないといけない。力を入れて折り畳みながら絞ると、注ぎ口が不安定となり、ボトルの口から外されて中身が溢れることが多かった。
本発明は、以上のような欠点をなくすためになされたものである。
【課題を解決するための手段】
【０００４】  本発明は、包装袋に折り筋を設け、折りたたみやすい包装袋である。
【発明の効果】
【０００５】  折り筋に沿って折り畳むことで、適切な大きさに折りたためるため、中身を絞り切りやすい。
また、折り畳んだ状態が保持しやすいため、持つ手に余計な状態保持用の力を使わなくていい。
余計な力を使わないことで、包装袋を安定的に持つことが出来、溢れにくい。
ピッタリ折りたたみながら絞ることで、使用者が絞りきることを実感できる。
【図面の簡単な説明】
【０００６】
【図１】側面図
【発明を実施するための形態】
【０００７】  以下、本発明を実施するための形態について説明する。
包装袋の中身を絞り切りやすいよう、折筋を設ける。
本発明を使用するとき、折筋に沿って折りたたむことで包装袋を簡単に小さく折りたたみ、絞り切りやすくなる。
包装袋の形状・大きさによって折り筋の数・形状・折順を決める。
【符号の説明】
【０００８】  １  折り筋
【図１】
2019142583.tif 000003
(57)【要約】【課題】  アジア食では屋台などで食品が販売されることが多く、そうした屋台で寿司を売ることは、回転寿司のシステムをもってしても難しかった。冷蔵されたネタはともかく、酢飯を街頭で握るとなると、衛生面や効率でも問題があった。【解決手段】  本発明では、クリーンルーム化されたセントラルキッチンで炊飯後、酢飯調味液を入れて酢飯を作り、それを握り寿司の形状に成形後、本考案のトレーに入れ完全密封することで、常温下での酢飯の保存を可能にした。酢飯を事前に用意することで、移動販売などの状況下でもにぎり寿司の迅速な販売を可能にしたものである。【選択図】図１
2019142585.tif 000002
【特許請求の範囲】
【請求項１】
成形後の酢飯を形状を保持したまま無菌保存できそのまま販売できる容器を使った寿司移動販売システム
【発明の詳細な説明】
【技術分野】
【０００１】  食品販売時に使用する密封容器に関する分野、および当該容器を使った食品販売の効率化に関する技術
【背景技術】
【０００２】  最近は日本のみならず、海外でも日本食の需要が増えている。特に寿司は海外でもその名前と共によく知られ、日本を代表する食品として認められている。従来の職人が鮮魚をさばき、調理の上自身で寿司を握って提供する寿司店は、当然ながら価格が高いという難点がある。そのため最近では寿司ネタを小さく切り分け冷凍したものを使い、酢飯についても寿司ロボットなどを使い、アルバイトの人材でも簡単に握り寿司を作れるようにした回転寿司などが多く増えている。
【発明の開示】
【発明が解決しようとする課題】
【０００３】  そうした職人不要の店舗運営が寿司の価格破壊を起こし、１人あたり１万円近い価格が当たり前であった寿司業界を、ファミリーレストラン化させてしまった。そしてその流れは海外にもおよび、海外にも多くの回転寿司の店舗が進出している。しかし、東南アジア諸国では日本食はやはり高価なもので、なかなか庶民には敷居の高いものであることに変わりはない。実際に食品の多くは露天や屋台で売られることも多く、そうした店では一般店舗よりかなり安く売られている。しかし、そうした屋台で寿司を売ることは、回転寿司のシステムをもってしても難しかったのである。冷蔵されたネタはともかく、酢飯を街頭で握るとなると、衛生面や効率でも問題があった。
【課題を解決するための手段】
【０００４】  本発明では、クリーンルーム化されたセントラルキッチンで炊飯後、酢飯調味液を入れて酢飯を作り、それを握り寿司の形状に成形後、本考案のトレーに入れ完全密封することで、常温下での酢飯の保存を可能にした。酢飯を事前に用意することで、移動販売などの状況下でもにぎり寿司の迅速な販売を可能にしたものである。
【発明の効果】
【０００５】  酢飯をパック化したことにより、販売時には密閉シールを剥がし、１０個入りトレーのまま、もしくはカットしたトレーの酢飯の上に寿司ネタを載せるだけで握り寿司が完成する。そのため、注文から遅滞なくできあがった寿司を供給することができ、しかもこのトレーはそのまま販売用に使えるため、トレーそのものが無駄になることもない。また酢飯に合わせた形状であることから輸送時の型崩れも起きず、作業者による酢飯の不揃いなどもない。その場で成形することと比較すれば、その作業効率は５−１０倍に向上する。理由としては酢飯を取って成形する手間が省けることと、できあがった寿司を販売用トレーに並べる手間である。屋台の様な環境で寿司ロボットの導入はコスト的にも難しく現実的ではない。その場合はあらかじめ作った酢飯を現場に運び、そこで手作業、または成形具などを使って酢飯を成形する。そのたびに手が酢飯まみれになり、手を洗う必要がある。本システムではネタはトングを使って載せるので見た目も清潔感がある。結果的に本システムは衛生環境のあまり良くない場所でも、握り寿司の衛生的で迅速な供給を可能にした。また販売の効率化にも効果があり、セントラルキッチンへの集約化も全体の効率を上げる。単なる容器の問題では無く、寿司販売の全体の効率化を図るシステムである。
【産業上の利用可能性】
【０００６】  ますます食のグローバル化が進む中で、東南アジアなどの食習慣のなかでも、日本食を庶民が楽しむ機会が増えていく。そのために日本の伝統食であるにぎり寿司の屋台販売が可能になれば、より一層日本食の普及を進められる事はあきらかであり、ひいては飲食業界の発展に資することとなり、その産業上の有効性は明らかである。
【図面の簡単な説明】
【０００７】
【図１】  トレーの全体俯瞰図である。
【符号の説明】
【０００８】  １）トレー全体図であり、ひとつのくぼみに酢飯がぴったり入る。
【図１】
2019142585.tif 000003
(57)【要約】【課題】  従来のゴキブリ取りは、一々組立てねばならず面倒であると共に、使用中形崩れし易い。【解決手段】  外ケース内を左右に移動する内ケースの内底に、粘着剤を塗布すると共に該粘着剤の表面に油紙を被せて解決した。  これにより、ゴキブリを捕獲するときは、先ず、両側蓋を下向きに１００度以上開いて油紙をとり、強烈な匂いが発散する餌を乗せ、適所に配置すれば、両側蓋は床やタタミ等の置き場所に密着する。  したがって、強烈な匂いに誘われたゴキブリは、両側蓋を通って内ケースに入り、粘着剤に足をとられるので、効果的に捕獲することができる。【選択図】図１
2019165716.tif 000002
【特許請求の範囲】
【請求項１】
外ケース内を左右に移動する内ケースの内底に粘着剤を塗布すると共に、該粘着剤の表面に、油や蝋を塗布した油紙を被せ、また、内ケースの側蓋を長めに形成して折込むと共に両立壁間を広めに形成したことを特徴とするゴキブリ取り。
【発明の詳細な説明】
【技術分野】
【０００１】  本発明はゴキブリ取りに関する。
【背景技術】
【０００２】  従来のゴキブリ取りは、一々組み立てねばならず、面倒であると共に、使用中形崩れしやすい。
【発明の概要】
【発明が解決しようととする課題】
【０００３】  本発明は、ゴキブリ取りを簡単に使用できる構造にすると共に、家計にやさしい価格のダニ取り器を提供することを目的とする。
【課題を解決するための手段】
【０００４】  外ケース内を左右に移動する内ケースの内底に粘着剤を塗布すると共に、該粘着剤の表面に、油や蝋を塗布した油紙を被せ、また、内ケースの側蓋を長めに形成して折込むと共に両立壁間を広めに形成したものである。
【使用準備】
【０００５】  ゴキブリを捕獲するときは、先ず、内ケースを左右にずらして、両側蓋を下向きに１００度以上開き、床やタタミに密着するようにして、粘着剤上の油紙をとり、強烈な匂いを発散する餌を乗せ、適所に配置すれば、下向きに開いた両側蓋は床やタタミ等の置き場所に密着する。
【発明の効果】
【０００６】  上記の準備後、本発明を適所に配置すれば、強烈な匂いに誘われたゴキブリは、両側蓋上を通って内ケースに入り、粘着剤に足をとられて捕獲される。
このとき、立壁は内ケースの両側にあって、内ケース内を暗くし、ゴキブリを誘導しやすくしたので、効果的に捕獲することができる。
また、使用前は、粘着剤に油紙を被せ、粘着剤の風化を防止したので、ゴキブリ取りを長期間保存することができる。
【０００７】  使用後は、内ケースの両側蓋を外ケース内に押し込めば、内ケースは外ケース内に収まるので、そのままごみ袋に入れて捨てられるので手間がかからないと共に衛生的である。
【０００８】  なお、本発明の使用方法簡単で、多量のゴキブリを確実に捕獲できる等の諸効果を有するものである。
【図面の簡単な説明】
【０００９】
【図１】  図２の平面図
【図２】  図１の線Ａ−Ａの縦断面図
【図３】  使用方法を示す縦断面図
【図４】  図３の左側面図
【発明を実施するための形態】
図中１は内ケース２を収容する外ケースで、該外ケース１内に内ケース２を左右自在に移動するようにしている。３は粘着剤で内ケース２の内底に塗布し、該粘着剤３の表面に油や蝋を塗付した油紙４を被せている。
また、内ケース２の両側蓋５を長めに形成して折込むと共に、両立壁６間を広めに形成している。
【００１０】  なお、ゴキブリを誘引しやすくするため、外ケース１の長手方向の両壁に、内ケース２まで貫通するゴキブリ誘導孔を、また、外ケース１の上部にもゴキブリ誘導孔を開けてもよく、使用時は、ゴキブリが入りやすいように、両立壁６を９０度外向きに開いて使用してもよい。
【符号の説明】
【００１１】１    外ケース
２    内ケース
３    粘着剤
４    油紙
５    側蓋
６    立壁
【図１】
2019165716.tif 000003
【図２】
2019165716.tif 000004
【図３】
2019165716.tif 000005
【図４】
2019165716.tif 000006
【手続補正書】
【提出日】平成30年10月27日(2018.10.27)
【手続補正１】
【補正対象書類名】特許請求の範囲
【補正対象項目名】全文
【補正方法】変更
【補正の内容】
【特許請求の範囲】
【請求項１】
両側を開口した外ケース内を、左右に移動する内ケースの内底に、粘着剤を塗付すると共に、該粘着剤の表面に、油や蝋を塗付した油紙を被せ、また、内ケースの内底の両端に側蓋を形成し、而して、該側蓋を内ケースの内底の両端から上向きに折り曲げ、側蓋の両端を外ケース内をに折り込み、内ケース入口両端に内ケース内を暗くして、ゴキブリを誘導しやすくするため、立壁を形成すると共に立壁間に隙間を設けたことを特徴とするゴキブリ取り。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
両側を開口した外ケース内を、左右に移動する内ケースの内底に、粘着剤を塗付すると共に、該粘着剤の表面に、油や蝋を塗付した油紙を被せ、また、内ケースの内底の両端に側蓋を形成し、而して、該側蓋を内ケースの内底の両端から上向きに折り曲げ、側蓋の上端を外ケース内に折り込み、内ケース入口両端に内ケース内を暗くして、ゴキブリを誘導しやすくするため、立壁を形成すると共に立壁間に隙間を設けたことを特徴とするゴキブリ取り。
(57)【要約】      （修正有）【課題】本発明の目的は、回転機の回転速度が上昇した場合でも、回転方向と回転数を適切に検出することで回転機の制御を正しく行う事が可能な回転機制御装置を提供する。【解決手段】速度センサの情報を正確に受け取れる低速域の時に、チャンネルAとチャンネルBを用いて、回転機の回転方向と回転速度を認識し、ある一定の速度を上回った場合に片方のチャンネルの信号が正常であれば、正常なチャンネルの信号を回転速度検出に用いることで、信号伝送路の状態による信号品質低下の影響を排除し回転機の速度を正確に検知することが出来る。【選択図】図１
2019165526.tif 000002
【特許請求の範囲】
【請求項１】
鉄道車両の回転機制御装置であって、回転機の軸に取り付けられた、９０°程度の位相差を持ったチャンネルAとチャンネルBの信号出力を持った回転速度センサの信号を、制御回路に入力する事で回転機の回転方向と回転速度を制御回路が認識し、この制御回路が回転機の回転を制御するシステムのうち、予め定めた、ある一定の速度を下回る場合は、チャンネルAとチャンネルBの両方の信号を用いて、回転機の回転方向と回転速度を認識し、上回る場合は片方のチャンネルの信号のみを用いて回転機の制御に必要な速度検知を行うロジックで、回転機が停止した状態より、チャンネルAとチャンネルBの両方の信号を用いて回転方向を演算し、ある一定の速度を上回った段階で回転機の制御に必要な回転方向を保持し、一定の速度を下回った段階で再度回転方向の演算を開始するロジックを使用した回転機制御装置。
【発明の詳細な説明】
【技術分野】
【０００１】
本発明は、鉄道用回転機制御装置の回転機回転数検出に関するものである。
【背景技術】
【０００２】
回転機を制御するためには、回転機の回転方向及び回転数を検出する必要がある。現状は、回転機1に取り付けられた９０°程度の位相差を持った信号を出力するチャンネルAとチャンネルBが組となった速度センサ3を使って検出し、この情報を用いて、回転機制御演算6にて制御信号を生成し、インバータ7を動作させて回転機1を駆動する。
【０００３】
また、特許文献１には、3と同様な速度センサのチャンネルAとチャンネルBの各信号を、パルス数に変換して両チャンネルのパルス数を足し合わせることでより正確な速度を演算する事が可能である。
【０００４】
【特許文献１】特開平１１−１７４０７４号公報
【０００５】
しかし、従来は両チャンネルの信号が正常に回転機制御装置に入力されている事が必要であり、信号伝送路の状態によって、速度センサ3の片方のチャンネルの信号の品質が伝送路の影響により低下した場合、回転数が上昇すると、回転方向、回転速度の正確な検出が困難となる。
【発明の概要】
【発明が解決しようとする課題】
【０００６】
従来の検出方式では、速度センサ3の片チャンネルの信号品質が低下した場合に回転機1の回転速度と方向を正しく検出できないことがあるが、信号品質の改善が見込めない場合、回転機を正しく制御する事が難しくなる。
【課題を解決するための手段】
【０００７】
本発明は、速度センサ3の信号の内、信号品質低下が認められたチャンネルの他方の信号の品質が保たれている前提で、回転速度域に応じで信号のチャンネル選択を行い回転機1の回転方向と回転数を正しく検出できる論理演算を行う。
【発明の効果】
【０００８】
本発明により、回転機1の回転速度が上昇した場合でも、回転方向と回転数を適切に検出できるようになり、回転機の制御を正しく行う事が可能となる。
【図面の簡単な説明】
【０００９】
【図１】回転機の回転方向と回転数の検出論理である。
【図２】従来の回転機の回転方向と回転数の検出論理である。
【図３】発明により回転数を正しく検出する事を示す図である。
【図４】従来の検出論理で、回転数を正しく検出できない事を示す図である。
【発明を実施するための形態】
【００１０】
図１は、本発明の説明図であって、1〜7の各部は図2に示す従来の方式と同様であり、回転機1に取り付けられた、速度センサ3の信号は、制御装置2に入力される。この時Aチャンネルの信号は、伝送路の影響により、信号の品質が低下しているが、Bチャンネルの信号は信号の品質が低下していない。
【００１１】
この場合、従来の検知方法では、図4に示す通り、回転機の回転速度を正しく認識できないことがあるが、本発明の検知方式とすることで、図３に示す通り、回転機の回転数を的確に検知できるようになる。
【００１２】
以下図１により、回転機の回転方向と回転数の検知方法を説明する。
回転機1に取り付けられた速度センサ3の信号は、回転機制御装置に入力され、回転機を回転させる場合は、停止状態から徐々に回転速度を上昇させる。
【００１３】
片方の信号(ここでは仮にチャンネルAとする)は、ある一定の速度以上になると、品質が低下してしまうので、このある一定の回転速度よりも低い値でSPD  9の「High」となる値を設定し、回転機が停止状態から、SPDが「High」となる回転速度の直前までは、速度センサ3のA,Bチャンネル共に、信号の品質が保たれているので、A,B両方のチャンネルの信号を用いて回転機の回転方向と、回転速度の演算を行う。
【００１４】
回転機の回転速度が、SPDに設定された値を超え、回転機の回転速度がさらに上昇すると、速度センサ3のチャンネルAの信号品質が低下するため、回転方向判定5は、SPD  が「High」の間、回転機の回転方向を保持し、この信号を回転制御演算６へ送る。
【００１５】
一方、速度センサ選択8では、SPD  が「High」の間信号品質が安定しているチャンネルBの信号を参照し、速度演算を行う事で、回転速度を安定して検知出来るため、この信号を回転制御演算６へ送る。
【００１６】
ここで得られた回転速度信号と先の[００１４]項で求めた回転方向を使用し、回転機制御演算6はインバータ7の運転信号を生成するため、回転機1は速度センサ3のチャンネルAの信号品質低下の影響を受けることなく制御することが出来る。
【産業上の利用可能性】
【００１７】
本発明は回転機速度の検知安定化に使用できる。
【符号の説明】
【００１８】
１ 回転機
２ 回転機制御装置
３ 速度センサ
４ 回転速度演算
５ 回転方向判定・保持演算
６ 回転機制御演算
７ 回転機駆動用インバータ
８ 速度センサチャンネル選択演算
９ 速度監視演算
【図１】
2019165526.tif 000003
【図２】
2019165526.tif 000004
【図３】
2019165526.tif 000005
【図４】
2019165526.tif 000006
(57)【要約】      （修正有）【課題】従来のスマートフォンだと、アドレスｔｅｌが制限がなく、個人間の連絡がとれすぎ、つながりすぎて、プライバシーの侵害になって問題化している。ＧＰＳ（位置情報）を利用し慣れ利便性のため、とり出せない。【解決手段】スマートフォンのＧＰＳ機能をのこしつつ、アドレスｔｅｌを２件までに制限することにより、盗聴対策、個人情報の保護、脱監視社会化を企る。ＧＰＳは、スマートフォンにのせて、無線、トランシーバーに代わる山岳地帯対策としての使用を考える。【選択図】なし【特許請求の範囲】
【請求項１】
スマートフォンでアドレスｔｅｌが２つまでしかつなげない制限のかかったもの。
【請求項２】
タブスマ（タブレットスマホ）でアドレスｔｅｌ２つまでの制限のかかったもの
【発明の詳細な説明】
【技術分野】
【０００１】本発明は、スマートフォンによるのぞき見、盗聴の対策としてアドレスｔｅｌ２件までに制限したスマートフォンに関する。
【背景技術】
【０００２】現段階では、スマートフォンにおいては、アドレスｔｅｌに制限はなく、同時に何件も連絡をとることができる。このことにより、ある人に連絡をとった人同志がのぞき見、盗聴され、個人情報がおびやかされている。
アドレスｔｅｌに制限がないことによって、スマートフォンをもつ人々同志がつながりすぎてプライバシーが少なく、監視社会化していることが問題化している。
【発明の概要】
【発明が解決しようとする課題】
【０００３】ただ便利だからといって、スマートフォンを買って使っているだけなのに、その利便性とは逆の使いづらさが存在する。スマートフォンの中には、位置情報（ＧＰＳ）が入っており、これによって、スマートフォンをもつ人の位置を知ることができたり、遭難した人がＳＯＳをよびかけたり、車のナビゲーションとしての機能を発輝したりして、未知の土地をまよいなく運転できる。認知症患者が迷子になるのを防止できたりもするという利点がある。ただ、逆の使いづらさとしては、スマホのもち主どうしが連絡がとれすぎて、あみの目のようにくまなくつながりすぎて、プライバシーがなく、監視社会化しているという難点がある。
【課題を解決しようとするための手段】
【０００４】プライバシーを完全に守るために、ＧＰＳをとりだして、ＧＰＳのないスマホをつくるというやり方もあるが、これだと山岳地帯で遭難したり、ＳＯＳをよんだり、車のナビゲーション機能を使ったりできない。子供ケータイというものの存在意義は、迷子にならない、人さらいにあわないという安心のためにある。ＧＰＳを失えば、子供ケータイの存在がなくなるか、あっても、安心といえるレベルかどうかわからない、言葉を使い、場所の説明を正しくできるには、漢字やカタカナがよめて、自分の置かれた状況が判断できなければならない。地図は、小学三年生まで学習しないし、もし学習したとしても、口をふさがれて人さらいにあっていれば、声がだせない。
認知症患者も、迷子になって、帰らぬ人になりかねない。
ケータイ会社の子供ケータイを保持しつつ、ナビゲーションなどのお買得機能を失わずに、必要以上のプライバシーを侵害されないようにするには、ＧＰＳを保持しつつ、アドレスｔｅｌの接続（連絡）を２こまでに制限するやり方が得策かと思われる。ＧＰＳを安全に使えれば、外国においても、ほとんど、位置をくるわせることなく、正確な運転ができる。
近年、石油が枯渇し、ガソリンのムダ使いが問題になり、電気自動車が政府によって国際的に販売が推進されるようになってきた。
電気の確保は、外国の方は、日本より太陽光発電を利用できにくい点からも難しく、ガソリンのみならず、電気のムダ使いさえ問題になる。
ガソリンも電気もなるべく少なく利用してということならば、やはり、ナビゲーションが避けることが難しく、日頃から使いなれたケータイのナビゲーションをあわせて使えれば、文句がない。
外国旅行中においても、遭難やＳＯＳは、ますます避けがたく、国内よりも頻度がたかいものになると思われる。
位置情報も外国や不慣れな土地においては、大切であり、完全に個人情報を守るためにＧＰＳをなくしたケータイをつくればいいとかんたんに発言することが難しい。ＧＰＳがないならば、自分の行動は、自分で責任をとるしかなく、迷子になれば、みつかるまでさがすしかない。
又、他人の援助をかんたんにうけることができなくなる。
又、警察の犯人さがしでも、手早くさがすことができるので、やはり、完全に全てのケータイからＧＰＳをなくすことはむずかしい。
個人情報の保護の観点から、ＧＰＳをなくすか、アドレスｔｅｌを１件だけにするということを実行するならば、ケータイの存在意義は、即時ｔｅｌ、即時メール、カメラ機能、パソコンの検索といったところであろう。
突然のＳＯＳのためにも、１つ位はのこして、それでも個人情報に問題がのこるかとりあえず検討することにしたいものである。
又、山岳地帯は、連絡がとれづらく、トランシーバーは、もう古すぎるし、無線機もケータイが売れて販売台数が以前に比べ少なくなってきていることから、ケータイ会社が山岳地帯対策を考えるということもありうる。
それならば、ＧＰＳのついたケータイが存在する必要がでてくる。
【発明の効果】
【０００５】以前のケータイに比べると、個人間のつながりがとれない（連絡がとれない。）ので、プライバシーが守れる。盗聴対策としても、２こしかつながっていないものは、２件以上盗聴されない。（つまり盗聴制限になる）
いつでも、人に見られてはやくやれと言われなくても、おちついて自己のやり方によってマイペースで行動できる。安全ならば、販売台数がのびる。
(57)【要約】【課題】てんぷらをカラットと揚るには具材を冷やして揚げるとよいことは、知られている。そのため、具材に氷を入れて揚げるといいと聞いているが、最後まで揚げているうちに具材が、氷が解けて水っぽくなる。【解決手段】本発明は天ぷらを揚げる時、カラットと揚るには具材を冷やしながら揚げるとカラット揚るので考えたものである。具材に氷を入れて揚げるといいと聞いているが、最後まで揚げているうちに具材が、氷が解けて水っぽくなるので外から冷やすことを考えたものである。    本発明は、外側容器とこれより１周り小さい内側容器と、前期外側容器と前期内側容器の周縁部を一定の間隔を保持するように固定部材よりなる天ぷらの具材冷却ボールである。なお、天ぷらの具材とは、具材以外に衣となる材料も含む場合も本発明の範囲である。【選択図】図２
2019165917.tif 000002
【特許請求の範囲】
【請求項１】
外側容器とこれより１周り小さい内側容器と、前期外側容器と前期内側容器の周縁部を一定の間隔を保持するように固定部材よりなる天ぷらの具材冷却ボール
【発明の詳細な説明】
【技術分野】
【０００１】
本発明は天ぷらを揚げる時に用いるボールに関する。
【背景技術】
【０００２】
てんぷらをカラットと揚るには具材を冷やして揚げるとよいことは、知られている。そのため、具材に氷を入れて揚げるといいと聞いているが、最後まで揚げているうちに具材が、氷が解けて水っぽくなる。そのため、外から冷やすことが考えられ、たとえば実開昭６２−１３４５２６号公報に示された技術が提案されている。
【先行技術文献】
【特許文献】
【０００３】
【特許文献１】実開昭６２−１３４５２６号公報
【発明の概要】
【発明が解決しようとする課題】
【０００４】
以上の実開昭６２−１３４５２６号公報に示された技術は、そのためにだけ用いる特別な容器を用いるものである。しかし、必然的に高価にならざるを得ず、専用の保管場所も必要であり、一般の家庭用としては、適しているとは言い難い。
【課題を解決するための手段】
【０００５】
本発明は天ぷらを揚げる時、カラットと揚るには具材を冷やしながら揚げるとカラット揚るので考えたものである。具材に氷を入れて揚げるといいと聞いているが、最後まで揚げているうちに具材が、氷が解けて水っぽくなるので外から冷やすことを考えたものである。    本発明は、外側容器とこれより１周り小さい内側容器と、前期外側容器と前期内側容器の周縁部を一定の間隔を保持するように固定部材よりなる天ぷらの具材冷却ボールである。なお、天ぷらの具材とは、具材以外に衣となる材料も含む場合も本発明の範囲である。
【発明の効果】
【０００６】
本発明の天ぷらの具材冷却ボールを用いててんぷらを揚げることにより、具材を冷たい状態から、揚げることができ、カタットした天ぷらを調理することができる。
【図面の簡単な説明】
【０００７】
【図１】本発明の天ぷらの具材冷却ボールの外観
【図２】本発明の天ぷらの具材冷却ボールの断面図
【図３】本発明の天ぷらの具材冷却ボールの固定部材等を示した図・・・・・
【発明を実施するための形態】
【０００８】
本発明の天ぷらの具材冷却ボール１は、大・小２つのボールをかさねるのであるが、大きいボール２と小さいボール３の間を１ｃｍ位（１ｃｍ〜３ｃｍ）あける。すなわち、大きいボール２は、開口部の直径が小さいボール３の開口部の直径より、２ｃｍ位（2ｃｍ〜６ｃｍ）ものを用いる。大・小二つのボールの深さも、同様に１ｃｍ位（１ｃｍ〜３ｃｍ）差があるものを用いる。
【０００９】
２つのボールの上部部分(開口部)の３箇所位を固定部材４（たとえば金属のバンド４）で止めている。ボールとボールの間に水を入れて冷凍庫で凍らせて使用する。固定部材４は水を入れた時ボールが水で押し上げなければ良いのである。水の量は2つのボールの間の体積の９０％を目安にする。水が凍って体積が増えることをあらかじめ予定しておくことが好ましい。力の加減で３箇所位金属バンド４で止めると良いと思うが、２〜４ケ所でも良い。
【００１０】
外部の大きいボール２の内側に数か所１ｃｍ位のポッチ（デッパリ）５を作り固定部材（金属バンド）４の部分はぴったり合うように加工する。固定部材（金属バンド）４を締めた時、ポッチ５の部分と固定部材（金属バンド）４が固く絞まるように加工するのが理想である。６はひっかかりである。
【００１１】
プロの天ぷら屋さんと家庭の主婦が使用するのでは大・小でボールの大きさを変えて使用すると良い。家庭の冷凍庫とプロの冷凍庫は大きさが違うから大きさに準じて大きさを決めると良い。使用しない時は次の為に水をボールの隙間に張って凍らせるために冷凍庫に入れて準備しておく。この具材冷却ボールは固定部材４を操作することにより、容易に２つのボールに分解が可能であり、別々にボールとして使用できる。また、洗浄する場合にも、分離して行うことができる。
【００１２】
上記の実施例では、半球状のボールを使用したが、大・小２つの容器の形状はこれに限定されるものではない。水が氷になる時の体積膨張が容器を破損しない形状であればどのような形のものであっても、本発明の範囲である。
【産業上の利用可能性】
【００１３】
本発明は手軽にカリッとした天ぷらの提供を可能とし、食品製造業、小売業の振興に有効である。
【符号の説明】
【００１４】
１  本発明の天ぷらの具材冷却ボール
２  大きいボール
３  小さいボール
４  固定部材（例えば金属バンド）
５  ポッチ
６  ひっかかり
7  氷
【図１】
2019165917.tif 000003
【図２】
2019165917.tif 000004
【図３】
2019165917.tif 000005
(57)【要約】      （修正有）【課題】従来の水道はフンと胎盤を混ぜて使用されていた。本発明は女のストレスを減らす水道を提供する。【解決手段】胎盤とフンを分ける水道によって女のストレスを減らすことができる。【選択図】なし【特許請求の範囲】
【請求項１】
胎盤を流す用の水道
【請求項２】
新しい水道が特徴の胎盤用の水道
【発明の詳細な説明】
【技術分野】
【０００１】本発明は、胎盤を流すように使用される胎盤用水道に関するものである。
【背景技術】
【０００２】従来の水道は胎盤をフンなどとまぜて使用されていた。
【発明の開示】
【発明が解決しようとする課題】
【０００３】従来の水道は胎盤をフンなどと混ぜて使われ胎盤とフンを分ける水道としては使われてなかった
本発明は、以上の問題点を解決するためのものである。
【課題を解決するための手段】
【０００４】胎盤用の水道
【発明の効果】
【０００５】従来の水道は胎盤をフンなどと混ぜて使われ胎盤とフンを分ける水道としては使われてなかった
この水道は胎盤とフンが分けられて女のストレスを減らすことに役立つだろう